(57)【要約】      （修正有）【課題】外部機器と接続するためのケーブルがいずれか一方のヘッドホン本体のみに接続されるようにし、ケーブルの取回しが容易で、煩わしさを感じることがなく、装着性が良好なヘッドホンを提供する。【解決手段】ヘッドバンド８０と、音を発生するスピーカユニットを含み、前記ヘッドバンド８０の両端に各々取付けられる一対のヘッドホン本体１０とを備えるヘッドホン１であって、各ヘッドホン本体１０は、前記ヘッドバンド８０の両端の各々に連結部材としてのスライドロッド８３により連結部１３に着脱可能に連結され、外部機器に接続されるケーブル９１がいずれか一方のヘッドホン本体のみに接続される。【選択図】図１
2015076820.tif 000002
【特許請求の範囲】
【請求項１】
（ａ）ヘッドバンドと、
（ｂ）音を発生するスピーカユニットを含み、前記ヘッドバンドの両端に各々取付けられる一対のヘッドホン本体とを備えるヘッドホンであって、
（ｃ）各ヘッドホン本体は、前記ヘッドバンドの両端の各々に着脱可能に取付けられ、
（ｄ）外部機器に接続されるケーブルがいずれか一方のヘッドホン本体のみに接続されることを特徴とするヘッドホン。
【請求項２】
前記ヘッドバンドの両端の各々には、本体連結部材が該本体連結部材の軸方向にスライド可能に取付けられ、
前記ヘッドホン本体は、前記本体連結部材に着脱可能に連結される請求項１に記載のヘッドホン。
【請求項３】
前記本体連結部材の各々には第１コネクタが取付けられ、該第１コネクタ同士は連結コードによって相互に接続され、
前記ヘッドホン本体には、前記スピーカユニットと電気的に接続される第２コネクタを含む連結部が取付けられ、
前記本体連結部材は前記連結部に着脱可能に連結され、前記第１コネクタは第２コネクタと解除可能に嵌合する請求項２に記載のヘッドホン。
【発明の詳細な説明】
【技術分野】
【０００１】
本発明は、ヘッドホンに関するものである。
【背景技術】
【０００２】
従来、頭の上を跨（また）ぐヘッドバンドの両端にスピーカユニットを収容したハウジングを結合したヘッドホンとして、ハウジングを着脱自在にしたタイプのものが知られている（例えば、特許文献１参照。）。このようなヘッドホンは、ハウジングをヘッドバンドから取外して、コンパクトに収納したり、携帯したりすることができる。
【０００３】
図４は従来のヘッドホンの要部を示す側面図である。
【０００４】
図において、８１１は、ヘッドホンのハウジングであり、前面にイヤーパッド８７１が取付けられ、内部に図示されないスピーカユニットが収納されている。また、８８０は、ヘッドホンのヘッドバンドであり、弾性材料から成り、両端にジャック部８９０が形成されている。なお、該ジャック部８９０にはケーブル８９１が接続されている。
【０００５】
そして、前記ハウジング８１１の周面の一部には、プラグ８５１が形成されている。該プラグ８５１内には、前記スピーカユニットと電気的に接続された図示されない複数の接続端子が配設されている。一方、前記ジャック部８９０は、前記プラグ８５１が嵌（かん）入される図示されない凹部を備え、該凹部内には、前記ケーブル８９１と電気的に接続された図示されない複数の接続端子が配設されている。そして、前記ハウジング８１１を図における矢印の方向に移動させ、プラグ８５１をジャック部８９０の凹部に嵌入させることによって、前記ハウジング８１１が機械的にジャック部８９０に結合されるとともに、前記スピーカユニットが電気的にケーブル８９１に接続される。
【先行技術文献】
【特許文献】
【０００６】
【特許文献１】特開昭５８−２００９９号公報
【発明の概要】
【発明が解決しようとする課題】
【０００７】
しかしながら、前記従来のヘッドホンにおいては、頭の上を跨ぐヘッドバンド８８０の両端に形成された両方のジャック部８９０にケーブル８９１が接続されている。つまり、ヘッドバンド８８０の両端からケーブル８９１が垂下がるようになっている。そのため、ヘッドホンの装着中も、また、ヘッドホンの装着作業及び取外し作業の際にも、ケーブル８９１が邪魔になり、使用者は、煩わしく感じてしまう。
【０００８】
本発明は、前記従来のヘッドホンの問題点を解決して、外部機器と接続するためのケーブルがいずれか一方のヘッドホン本体のみに接続されるようにして、ケーブルの取回しが容易で、煩わしさを感じることがなく、装着性が良好なヘッドホンを提供することを目的とする。
【課題を解決するための手段】
【０００９】
そのために、本発明のヘッドホンにおいては、ヘッドバンドと、音を発生するスピーカユニットを含み、前記ヘッドバンドの両端に各々取付けられる一対のヘッドホン本体とを備えるヘッドホンであって、各ヘッドホン本体は、前記ヘッドバンドの両端の各々に着脱可能に取付けられ、外部機器に接続されるケーブルがいずれか一方のヘッドホン本体のみに接続される。
【００１０】
本発明の他のヘッドホンにおいては、さらに、前記ヘッドバンドの両端の各々には、本体連結部材が該本体連結部材の軸方向にスライド可能に取付けられ、前記ヘッドホン本体は、前記本体連結部材に着脱可能に連結される。
【００１１】
本発明の更に他のヘッドホンにおいては、さらに、前記本体連結部材の各々には第１コネクタが取付けられ、該第１コネクタ同士は連結コードによって相互に接続され、前記ヘッドホン本体には、前記スピーカユニットと電気的に接続される第２コネクタを含む連結部が取付けられ、前記本体連結部材は前記連結部に着脱可能に連結され、前記第１コネクタは第２コネクタと解除可能に嵌合する。
【発明の効果】
【００１２】
本発明によれば、ヘッドホンは、外部機器と接続するためのケーブルがいずれか一方のヘッドホン本体のみに接続される。これにより、ケーブルの取回しが容易で、煩わしさを感じることがなく、装着性が良好になる。
【図面の簡単な説明】
【００１３】
【図１】本発明の実施の形態におけるヘッドホンの一方の本体を含む要部を示す三面図であって、（ａ）及び（ｃ）はヘッドホンの一方の本体を左右の側方から観た図、（ｂ）はヘッドホンの一方の本体を前方から観た図である。
【図２】本発明の実施の形態におけるヘッドホンの一方の本体をスライダ部から取外した状態を示す図である。
【図３】本発明の実施の形態におけるヘッドホンの一方の本体の断面図であって、（ａ）は図１（ａ）におけるＡ−Ａ矢視断面図、（ｂ）は（ａ）における一方の本体をスライダ部から取外した状態を示す図である。
【図４】従来のヘッドホンの要部を示す側面図である。
【発明を実施するための形態】
【００１４】
以下、本発明の実施の形態について図面を参照しながら詳細に説明する。
【００１５】
図１は本発明の実施の形態におけるヘッドホンの一方の本体を含む要部を示す三面図、図２は本発明の実施の形態におけるヘッドホンの一方の本体をスライダ部から取外した状態を示す図、図３は本発明の実施の形態におけるヘッドホンの一方の本体の断面図である。なお、図１において、（ａ）及び（ｃ）はヘッドホンの一方の本体を左右の側方から観た図、（ｂ）はヘッドホンの一方の本体を前方から観た図であり、図３において、（ａ）は図１（ａ）におけるＡ−Ａ矢視断面図、（ｂ）は（ａ）における一方の本体をスライダ部から取外した状態を示す図である。
【００１６】
図において、１は本実施の形態におけるヘッドホンであり、ヘッドホン本体としての本体１０と、ヘッドバンド８０とを有する。前記本体１０は、使用者の耳介及びその周囲に装着されて使用され、電気信号である音声信号によって駆動され、音声信号を再生する小型の音声発生器である。また、前記ヘッドバンド８０は、弾性材料から成り、使用者の頭の上を跨ぐようになっている。
【００１７】
なお、前記ヘッドホン１はステレオヘッドホンであり、本体１０は、２つであって、ヘッドバンド８０の両端に各々取付けられているが、両者は実質的に同一の構成を備え、ケーブル９１が接続されているか否かの点でのみ相違するものであるから、図においては、便宜上、ケーブル９１が接続されている一方の本体１０のみが示されており、他方の本体１０の図示は省略されている。  
【００１８】
そして、前記本体１０は、音声信号を再生して音を発生する図示されないスピーカユニットを内蔵するハウジング１１と、該ハウジング１１の前面に取付けられたイヤーパッド７１とを備える。前記ハウジング１１は、例えば、合成樹脂等の樹脂から成るが、アルミニウム、鋼、銅等の金属から成るものであってもよいし、樹脂、カーボン、金属等を複合した複合材から成るものであってもよい。また、前記イヤーパッド７１は、使用者の耳介及びその周囲に当接する部材であるから、樹脂発泡体、軟質樹脂等の柔軟性、弾力性等を備えた材料から成ることが望ましい。さらに、前記ケーブル９１は、一端が一方の本体１０に接続され、図示されない他端が音楽プレーヤ、テレビ、ラジオ、ビデオデッキ等の図示されない音響機器、ＡＶ機器等の外部機器に接続される電線ケーブルであり、スピーカユニットに通電され、これにより、外部機器からの音響信号がスピーカユニットに伝達される。
【００１９】
なお、本実施の形態において、ヘッドホン１及びその部品の各部の構成及び動作を説明するために使用される上、下、左、右、前、後等の方向を示す表現は、絶対的なものでなく相対的なものであり、ヘッドホン１及びその部品の各部が図に示される姿勢である場合に適切であるが、ヘッドホン１及びその部品の各部の姿勢が変化した場合には、姿勢の変化に応じて変更して解釈されるべきものである。
【００２０】
前記本体１０は、スライダ部８１を介してヘッドバンド８０の両端に各々スライド可能に取付けられており、使用者は、前記本体１０をヘッドバンド８０の端部に対してスライドさせることによって、自分の耳介に対するイヤーパッド７１の当接位置を調整することができる。前記スライダ部８１は、ヘッドバンド８０の端部に固定されたスライド保持部８２と、下端が本体１０に着脱可能に取付けられた本体連結部材としてのスライドロッド８３とを含んでいる。
【００２１】
前記スライド保持部８２は、図示されない周知のスライド保持機構を備え、該スライド保持機構の作用によって、下端に本体１０が取付けられたスライドロッド８３を、ヘッドホン１の通常の使用時には、スライド不能に保持するとともに、使用者が手指等を用いて本体１０をヘッドバンド８０の端部に対して上下に移動させた時には、スライド可能に保持するようになっている。換言すると、前記スライド保持機構は、スライドロッド８３に付与されたスライド方向、すなわち、スライドロッド８３の軸方向であってほぼ上下方向の力が所定値よりも小さな場合には、スライド保持部８２に対するスライドロッド８３のスライドを許可せず、スライドロッド８３に付与された前記力が所定値以上である場合には、スライド保持部８２に対するスライドロッド８３のスライドを許可する機構である。なお、前記スライド保持機構は、周知のものであるから、その説明を省略する。
【００２２】
また、前記本体１０の外側には枠部材１２が取付けられ、該枠部材１２に形成された連結部１３に前記スライドロッド８３の下端が着脱可能に取付けられる。前記枠部材１２は、本体１０の外周面の半分程度の範囲に沿って延在する円弧状の部材であって、その両端が本体１０に枢着されている。したがって、前記本体１０及びイヤーパッド７１は、スライドロッド８３に対して、図１（ａ）及び（ｃ）における左右方向に傾斜することができ、イヤーパッド７１が使用者の頭側部の表面に適切に当接可能となる。
【００２３】
本実施の形態において、スライドロッド８３の下端には、図２及び３に示されるように、第１コネクタとしてのプラグ５１が取付けられている。該プラグ５１は、スライドロッド８３の軸方向に延在する概略円筒形の部材であり、軸方向の中間近傍に形成された半径方向外側に突出するフランジ部５３を備える。そして、該フランジ部５３よりも上方がスライドロッド８３の内側に形成された孔（あな）部８３ａの下端部に嵌入されて固定されている。また、前記フランジ部５３よりも下方は、第１端子としての雄側端子５２であり、該雄側端子５２の表面は、軸方向に複数（図に示される例では３つ）の区画に分割され、それぞれ、第１接触部５２ａ、第２接触部５２ｂ及び第３接触部５２ｃとなっている。なお、前記区画の数は、必ずしも３つである必要はなく、任意に変更することができる。また、隣接する区画同士の境界には絶縁体が介在し、各区画は、互いに絶縁されている。
【００２４】
そして、前記スライドロッド８３の孔部８３ａ内には、連結コード５５が配設されている。該連結コード５５は、少なくとも前記区画の数以上の導電線を含んでおり、各導電線の一端は、前記プラグ５１内の図示されない空洞を通って、前記区画としての第１接触部５２ａ、第２接触部５２ｂ及び第３接触部５２ｃに電気的に接続されている。また、各導電線の一端は、ヘッドバンド８０の図示されない他端に接続された他方のスライドロッド８３に取付けられている他方のプラグ５１の第１接触部５２ａ、第２接触部５２ｂ及び第３接触部５２ｃに電気的に接続されている。この場合、前記連結コード５５は、例えば、ヘッドバンド８０に沿って配線され、その両端近傍の部分が両方のスライドロッド８３の孔部８３ａ内に挿入される。
【００２５】
また、前記スライドロッド８３の下端近傍における外周面には、前記プラグ５１のフランジ部５３と類似の形状を備え、半径方向外側に突出する連結用突起８５が形成されている。なお、該連結用突起８５の半径方向外側への突出量は、前記フランジ部５３の半径方向外側への突出量よりも大きくなるように設定されている。
【００２６】
一方、前記連結部１３の内部には、前記プラグ５１の雄側端子５２を収容する第２コネクタとしての空洞状の嵌合凹部１５が形成され、該嵌合凹部１５の上側には、前記スライドロッド８３の下端部分が挿入される円筒状の挿入開口部１４が形成されている。該挿入開口部１４は、その上端が連結部１３の上面に開口し、その下端が嵌合凹部１５の上面に開口して嵌合凹部１５と連通する。なお、該嵌合凹部１５の内面には、絶縁性材料から成る絶縁壁部材１６が配設されている。また、前記挿入開口部１４の内径は、スライドロッド８３及びフランジ部５３の下端の外径よりは大きく、かつ、連結用突起８５の外径よりは小さく設定されている。
【００２７】
そして、前記嵌合凹部１５内には、その側壁から突出する第２端子としての雌側端子６２が配設されている。該雌側端子６２は、複数（図に示される例では３つ）の突出部としての第１突出部６２ａ、第２突出部６２ｂ及び第３突出部６２ｃを含んでおり、各突出部は、弾性的に変形可能な部材であり、雄側端子５２の挿入及び抜出し方向に並んで配設される。なお、前記突出部の数は、必ずしも３つである必要はなく、任意に変更することができる。これにより、第１コネクタとしてのプラグ５１は、第２コネクタとしての嵌合凹部１５と解除可能に嵌合することができる。
【００２８】
また、前記枠部材１２及び連結部１３の内部には、複数の接続用電線６５が配設されている。そして、各接続用電線６５の一端は、前記第１突出部６２ａ、第２突出部６２ｂ及び第３突出部６２ｃに電気的に接続され、各接続用電線６５の他端は、スピーカユニットに電気的に接続されている。なお、前記接続用電線６５は、必ずしも、枠部材１２及び連結部１３の内部に配設される必要はなく、枠部材１２及び連結部１３の外部に配設されていてもよい。
【００２９】
前記挿入開口部１４の周壁には、前記スライドロッド８３の連結用突起８５と係合する連結用凹部１４ｂが形成されている。該連結用凹部１４ｂは、前記挿入開口部１４の側面を周方向に囲むように形成されたリング状の凹溝であって、前記連結用突起８５を収容可能に形成されている。
【００３０】
また、前記連結部１３における挿入開口部１４の周壁を形成する部分には、上下方向に延在するスリット状の分離溝１４ａが単数又は複数形成されている。該分離溝１４ａによって挿入開口部１４は、連結部１３の側面に開口する。これにより、前記挿入開口部１４は、弾性的に拡径及び縮径可能となるので、本体連結部材としてのスライドロッド８３は連結部１３に着脱可能に連結される。
【００３１】
そして、スライドロッド８３を本体１０に取付ける際には、ヘッドホン１の使用者は、まず、図２及び３（ｂ）に示されるように、スライドロッド８３の下端を本体１０に取付けられた枠部材１２の連結部１３に対向させ、スライドロッド８３の下端に位置するプラグ５１の中心軸と、連結部１３に形成された挿入開口部１４の中心軸とが同軸となるように整列させる。
【００３２】
この状態で、スライドロッド８３及び／又は連結部１３を相手側に接近する方向に移動させ、プラグ５１を挿入開口部１４に挿入する。すると、プラグ５１の雄側端子５２は挿入開口部１４を通って嵌合凹部１５内に進入する。また、スライドロッド８３の下端が挿入開口部１４内に進入する。この場合、連結用突起８５が挿入開口部１４における連結用凹部１４ｂより上方を通過するときには、挿入開口部１４は弾性的に拡径され、連結用突起８５が連結用凹部１４ｂの位置に到達すると、挿入開口部１４は弾性的に縮径し、連結用突起８５が連結用凹部１４ｂに収容される。
【００３３】
そして、スライドロッド８３の本体１０への取付が完了すると、図３（ａ）に示されるように、嵌合凹部１５内に配設された第１突出部６２ａ、第２突出部６２ｂ及び第３突出部６２ｃがプラグ５１の第１接触部５２ａ、第２接触部５２ｂ及び第３接触部５２ｃに、それぞれ、弾性的に接触する。これにより、第１コネクタとしてのプラグ５１が第２コネクタとしての嵌合凹部１５と嵌合した状態となり、各接続用電線６５は、連結コード５５の対応する導電線と電気的に接続される。したがって、ヘッドバンド８０の両端のスライドロッド８３が左右両方の本体１０に取付けられた状態では、両方の本体１０のスピーカユニットが相互に電気的に接続されるので、音響機器からの音響信号が、一方の本体１０に接続されたケーブル９１を介して、両方の本体１０のスピーカユニットに伝達される。
【００３４】
また、スライドロッド８３の本体１０への取付が完了した状態では、挿入開口部１４が弾性的に縮径し、連結用突起８５が連結用凹部１４ｂに収容されて係合されているので、連結部１３は、スライドロッド８３を、ヘッドホン１の通常の使用時には、抜出し不能に保持する。一方、使用者が手指等を用いてスライドロッド８３を連結部１３に対して上方向に移動させた時には、挿入開口部１４は弾性的に拡径され、連結用突起８５が連結用凹部１４ｂから離脱し、スライドロッド８３の下端が挿入開口部１４から抜出される。換言すると、連結部１３は、スライドロッド８３に付与された挿入及び抜出し方向、すなわち、スライドロッド８３の軸方向であってほぼ上下方向の力が所定値よりも小さな場合には、挿入開口部１４に対するスライドロッド８３下端の挿入及び抜出しを許可せず、スライドロッド８３に付与された前記力が所定値以上である場合には、挿入開口部１４に対するスライドロッド８３下端の挿入及び抜出しを許可するようになっている。
【００３５】
このように、本実施の形態におけるヘッドホン１は、ヘッドバンド８０と、音を発生するスピーカユニットを含み、ヘッドバンド８０の両端に各々取付けられる一対の本体１０とを備える。そして、各本体１０は、ヘッドバンド８０の両端の各々に着脱可能に取付けられ、外部機器に接続されるケーブル９１がいずれか一方の本体１０のみに接続される。
【００３６】
これにより、ケーブル９１の取回しが容易で、煩わしさを感じることがなく、装着性が良好になる。
【００３７】
また、ヘッドバンド８０の両端の各々には、スライドロッド８３がその軸方向にスライド可能に取付けられ、本体１０は、スライドロッド８３に着脱可能に連結される。したがって、イヤーパッド７１の当接位置を容易に調整することができる。
【００３８】
さらに、スライドロッド８３の各々にはプラグ５１が取付けられ、プラグ５１同士は連結コード５５によって相互に接続され、本体１０には、スピーカユニットと電気的に接続される嵌合凹部１５を含む連結部１３が取付けられ、スライドロッド８３は連結部１３に着脱可能に連結され、プラグ５１は嵌合凹部１５と解除可能に嵌合する。したがって、本体１０の着脱を容易に行うことができる。
【００３９】
なお、本発明は前記実施の形態に限定されるものではなく、本発明の趣旨に基づいて種々変形させることが可能であり、それらを本発明の範囲から排除するものではない。
【産業上の利用可能性】
【００４０】
本発明は、ヘッドホンに適用することができる。
【符号の説明】
【００４１】
１    ヘッドホン
１０    本体
１１、８１１    ハウジング
１２    枠部材
１３    連結部
１４    挿入開口部
１４ａ    分離溝
１４ｂ    連結用凹部
１５    嵌合凹部
１６    絶縁壁部材
５１、８５１    プラグ
５２    雄側端子
５２ａ    第１接触部
５２ｂ    第２接触部
５２ｃ    第３接触部
５３    フランジ部
５５    連結コード
６２    雌側端子
６２ａ    第１突出部
６２ｂ    第２突出部
６２ｃ    第３突出部
６５    接続用電線
７１、８７１    イヤーパッド
８０、８８０    ヘッドバンド
８１    スライダ部
８２    スライド保持部
８３    スライドロッド
８３ａ    孔部
８５    連結用突起
９１、８９１    ケーブル
８９０    ジャック部
【図１】
2015076820.tif 000003
【図２】
2015076820.tif 000004
【図３】
2015076820.tif 000005
【図４】
2015076820.tif 000006